(57)【要約】  カード表示部が、患者に関する医療情報とリンクされ、リンクされた医療情報に関する少なくとも１つの文字情報を含む複数のカードを医療情報表示画面に表示する。選択部が、複数のカードにおける少なくとも１つの文字情報の選択を受け付ける。絞り込み部が、選択された文字情報を含むカードを、複数のカードから絞り込んで医療情報表示画面に表示する。
2020105416.tif 000002
【特許請求の範囲】
【請求項１】
患者に関する医療情報とリンクされ、リンクされた該医療情報に関する少なくとも１つの文字情報を含む複数のカードを医療情報表示画面に表示するカード表示部と、
前記複数のカードにおける前記少なくとも１つの文字情報の選択を受け付ける選択部と、
該選択された文字情報を含むカードを、前記複数のカードから絞り込んで前記医療情報表示画面に表示する絞り込み部とを備えた医療情報表示装置。
【請求項２】
前記文字情報は、前記カードとリンクされた医療情報に対して行った解析に関する解析文字情報を含む請求項１に記載の医療情報表示装置。
【請求項３】
前記カード表示部は、前記複数のカードのうち、前記解析文字情報を含むカード以外のカードと、前記解析文字情報を含むカードとを、前記医療情報表示画面上の異なる領域に表示する請求項２に記載の医療情報表示装置。
【請求項４】
前記絞り込み部は、前記選択された文字情報に対して、該選択された文字情報を含むカードおよび該選択された文字情報を含むカード以外のカードのいずれを表示するかを選択するための選択情報を表示し、該選択情報に対する選択指示に応じて、前記選択された文字情報を含むカードを、前記複数のカードから絞り込んで前記医療情報表示画面に表示する請求項１から３のいずれか１項に記載の医療情報表示装置。
【請求項５】
前記選択部は、複数の前記文字情報が選択される場合、選択される該文字情報に対して、ＡＮＤ絞り込みおよびＯＲ絞り込みの選択を受け付ける請求項１から３のいずれか１項に記載の医療情報表示装置。
【請求項６】
前記医療情報表示画面は、選択された前記文字情報を表示する文字情報表示領域を含む請求項１から５のいずれか１項に記載の医療情報表示装置。
【請求項７】
前記絞り込み部は、複数の前記文字情報が選択された場合において、該複数の文字情報によるＡＮＤ絞り込みを行う場合には、前記文字情報表示領域において該複数の文字情報を第１の方向に並べ、前記複数の文字情報によるＯＲ絞り込みを行う場合には、前記文字情報表示領域において該複数の文字情報を前記第１の方向とは異なる第２の方向に並べる請求項６に記載の医療情報表示装置。
【請求項８】
前記第１の方向は前記医療情報表示画面における横方向であり、前記第２の方向は前記医療情報表示画面における縦方向である請求項７に記載の医療情報表示装置。
【請求項９】
前記絞り込み部は、前記複数のカードから絞り込まれたカードを前記医療情報表示画面に表示する請求項１から８のいずれか１項に記載の医療情報表示装置。
【請求項１０】
前記絞り込み部は、前記複数のカードから絞り込まれたカード以外の隠されたカードについては、前記隠されたカードが存在することを表す存在情報を前記医療情報表示画面に表示する請求項１から９のいずれか１項に記載の医療情報表示装置。
【請求項１１】
前記存在情報は、前記カードよりも小さいサイズのバー形状を有する請求項１０に記載の医療情報表示装置。
【請求項１２】
前記存在情報は、前記隠されたカードに含まれる前記文字情報の少なくとも一部を含む請求項１０または１１に記載の医療情報表示装置。
【請求項１３】
前記絞り込み部は、前記存在情報が選択されると、前記隠されたカードに含まれる前記文字情報の少なくとも一部を表示する請求項１０または１１に記載の医療情報表示装置。
【請求項１４】
患者に関する医療情報とリンクされ、リンクされた該医療情報に関する少なくとも１つの文字情報を含む複数のカードを医療情報表示画面に表示し、
前記複数のカードにおける前記少なくとも１つの文字情報の選択を受け付け、
該選択された文字情報を含むカードを、前記複数のカードから絞り込んで前記医療情報表示画面に表示する医療情報表示方法。
【請求項１５】
患者に関する医療情報とリンクされ、リンクされた該医療情報に関する少なくとも１つの文字情報を含む複数のカードを医療情報表示画面に表示する手順と、
前記複数のカードにおける前記少なくとも１つの文字情報の選択を受け付ける手順と、
該選択された文字情報を含むカードを、前記複数のカードから絞り込んで前記医療情報表示画面に表示する手順とをコンピュータに実行させる医療情報表示プログラム。
【請求項１６】
患者に関する医療情報とリンクされ、リンクされた該医療情報に関する少なくとも１つの文字情報を含む複数のカードを、前記文字情報を選択可能に表示する第１の表示領域と、
前記複数のカードのうちのいずれかのカードの選択により、選択された該カードとリンクされた前記医療情報を表示する第２の表示領域とを含む医療情報を表示するためのグラフィックユーザインターフェース。
【請求項１７】
選択された前記文字情報を表示する文字情報表示領域をさらに含む請求項１６に記載のグラフィックユーザインターフェース。
【発明の詳細な説明】
【技術分野】
【０００１】
本開示は、医療情報管理装置、方法およびプログラム、並びに医療情報を表示するためのグラフィックユーザインターフェースに関するものである。
【背景技術】
【０００２】
ＣＲ(Computed Radiography)装置、ＣＴ（Computed Tomography）装置、およびＭＲＩ（Magnetic Resonance Imaging）装置等の画像撮影装置（モダリティ）により取得された医用画像を用いた画像診断が行われている。画像診断は、医用画像を医師の端末に表示することにより行われる。また、画像診断においては、医用画像に対して行われた、ＣＡＤ（Computer-Aided Diagnosis）による解析結果を参照することも行われている。また、同一患者について過去に取得された医用画像を用いた比較診断も行われている。さらに、画像診断を行う際には、血液の成分の分析等により得られる生理検査、および眼底検査による眼底画像等も参照される。【０００３】
これらの医用画像等の医療情報は、ＰＡＣＳ（Picture Archiving and Communication Systems）等に保管される。保管された医療情報は、医師の端末に呼び出されて表示され、診断に供される。【０００４】
しかしながら、保存される医療情報は大量にある。このため、大量の医療情報から必要な医療情報を取得するための各種手法が提案されている。例えば、特開２０１３−２４２７４５号公報には、カルテ情報、ＰＡＣＳ画像データ、生理検査データ、検体検査データ、文章データの一部または全部を含む診療データを、患者毎に割り当てられた識別情報に基づいて抽出し、抽出されたデータを、縦軸および横軸にそれぞれ所定項目を割り当てた一覧表示形式の表示データとして生成して閲覧可能に表示する手法が提案されている。特開２０１３−２４２７４５号公報に記載された手法においては、表示データの所定項目が入力操作により選択されると、選択された項目に該当する診療データおよび画像データが抽出されて、抽出された診療データおよび画像データのサムネイル画像等が、日付毎に分類した所定レイアウトに配置されて一覧表示される。
【発明の概要】
【発明が解決しようとする課題】
【０００５】
特開２０１３−２４２７４５号公報に記載された手法においては、一覧表示された項目を選択すると、選択された項目に対応するデータが拡大されて表示される。しかしながら、特開２０１３−２４２７４５号公報に記載された手法においては、一覧表示された項目をさらに絞り込みたい場合、最初から項目の指定をやり直す必要がある。したがって、特開２０１３−２４２７４５号公報に記載された手法においては、表示したい医療情報に効率よくアクセスすることは困難である。【０００６】
本開示は上記事情に鑑みなされたものであり、表示を所望する医療情報に効率よくアクセスできるようにすることを目的とする。
【課題を解決するための手段】
【０００７】
本開示による医療情報表示装置は、患者に関する医療情報とリンクされ、リンクされた医療情報に関する少なくとも１つの文字情報を含む複数のカードを医療情報表示画面に表示するカード表示部と、
複数のカードにおける少なくとも１つの文字情報の選択を受け付ける選択部と、
選択された文字情報を含むカードを、複数のカードから絞り込んで医療情報表示画面に表示する絞り込み部とを備える。【０００８】
「カード」とは、境界により規定される閉じられた領域を意味する。カードは、矩形のみならず矩形以外の任意の形状を有するものであってもよい。また、カードは、そのサイズを任意に変更可能なものであってもよい。文字情報はマウスによるクリック等によって選択可能にカードに含められている。また、カードは、リンクされた医療情報を表す画像、とくにサムネイル画像を含むものであってもよい。【０００９】
「患者に関する医療情報」とは、患者に対して行われた検査等により取得された情報であり、例えばＣＲ装置により取得された放射線画像、ＣＴ装置およびＭＲＩ装置等により取得された３次元画像、血液検査等の検査結果、検体検査等の検査結果、カルテ、画像を読影することにより取得された読影レポート、眼底および外観等の患者を撮影することにより取得した画像、病院の紹介状並びに院内の診療科の紹介状等、患者に関する医療についての任意の情報を含む。なお、１つの検査において複数の撮影シリーズが含まれる場合がある。このような場合、１つのカードに１つの撮影シリーズを医療情報として対応づけておくことが好ましい。【００１０】
なお、本開示による医療情報表示装置においては、文字情報は、カードとリンクされた医療情報に対して行った解析に関する解析文字情報を含むものであってもよい。【００１１】
「解析文字情報」とは、行った解析の種類を表す文字情報、および解析結果を表す文字情報等を含む。【００１２】
また、本開示による医療情報表示装置においては、カード表示部は、複数のカードのうち、解析文字情報を含むカード以外のカードと、解析文字情報を含むカードとを、医療情報表示画面上の異なる領域に表示するものであってもよい。【００１３】
また、本開示による医療情報表示装置においては、絞り込み部は、選択された文字情報に対して、選択された文字情報を含むカードおよび選択された文字情報を含むカード以外のカードのいずれを表示するかを選択するための選択情報を表示し、選択情報に対する選択指示に応じて、選択された文字情報を含むカードを、複数のカードから絞り込んで医療情報表示画面に表示するものであってもよい。【００１４】
また、本開示による医療情報表示装置においては、選択部は、複数の文字情報が選択される場合、選択される文字情報に対して、ＡＮＤ絞り込みおよびＯＲ絞り込みの選択を受け付けるものであってもよい。【００１５】
「ＡＮＤ絞り込み」とは、複数の文字情報のいずれも満たす文字情報を含むカードを絞り込むことを意味する。【００１６】
「ＯＲ絞り込み」とは、複数の文字情報のいずれかを満たす文字情報を含むカードを絞り込むことを意味する。【００１７】
また、本開示による医療情報表示装置においては、医療情報表示画面は、選択された文字情報を表示する文字情報表示領域を含むものであってもよい。【００１８】
また、本開示による医療情報表示装置においては、絞り込み部は、複数の文字情報が選択された場合において、複数の文字情報によるＡＮＤ絞り込みを行う場合には、文字情報表示領域において複数の文字情報を第１の方向に並べ、複数の文字情報によるＯＲ絞り込みを行う場合には、文字情報表示領域において複数の文字情報を第１の方向とは異なる第２の方向に並べるものであってもよい。【００１９】
また、本開示による医療情報表示装置においては、第１の方向は医療情報表示画面における横方向であり、第２の方向は医療情報表示画面における縦方向であってもよい。【００２０】
また、本開示による医療情報表示装置においては、絞り込み部は、複数のカードから絞り込まれたカードを医療情報表示画面に表示するものであってもよい。【００２１】
また、本開示による医療情報表示装置においては、絞り込み部は、複数のカードから絞り込まれたカード以外の隠されたカードについては、隠されたカードが存在することを表す存在情報を医療情報表示画面に表示するものであってもよい。【００２２】
この場合、存在情報は、カードよりも小さいサイズのバー形状を有するものであってもよい。【００２３】
また、この場合、存在情報は、隠されたカードに含まれる文字情報の少なくとも一部を含むものであってもよい。【００２４】
また、この場合、絞り込み部は、存在情報が選択されると、隠されたカードに含まれる文字情報の少なくとも一部を表示するものであってもよい。【００２５】
本開示による医療情報表示方法は、患者に関する医療情報とリンクされ、リンクされた医療情報に関する少なくとも１つの文字情報を含む複数のカードを医療情報表示画面に表示し、
複数のカードにおける少なくとも１つの文字情報の選択を受け付け、
選択された文字情報を含むカードを、複数のカードから絞り込んで医療情報表示画面に表示する。【００２６】
なお、本開示による医療情報表示方法をコンピュータに実行させるためのプログラムとして提供してもよい。【００２７】
本開示による医療情報を表示するためのグラフィックユーザインターフェースは、患者に関する医療情報とリンクされ、リンクされた医療情報に関する少なくとも１つの文字情報を含む複数のカードを、文字情報を選択可能に表示する第１の表示領域と、
複数のカードのうちのいずれかのカードの選択により、選択されたカードとリンクされた医療情報を表示する第２の表示領域とを含む。【００２８】
また、本開示による医療情報を表示するためのグラフィックユーザインターフェースにおいては、選択された文字情報を表示する文字情報表示領域をさらに含むものであってもよい。【００２９】
本開示による他の医療情報表示装置は、コンピュータに実行させるための命令を記憶するメモリと、
記憶された命令を実行するよう構成されたプロセッサとを備え、プロセッサは、
患者に関する医療情報とリンクされ、リンクされた医療情報に関する少なくとも１つの文字情報を含む複数のカードを医療情報表示画面に表示し、
複数のカードにおける少なくとも１つの文字情報の選択を受け付け、
選択された文字情報を含むカードを、複数のカードから絞り込んで医療情報表示画面に表示する処理を実行する。
【発明の効果】
【００３０】
本開示によれば、表示を所望する医療情報に効率よくアクセスすることができる。
【図面の簡単な説明】
【００３１】
【図１】本開示の実施形態による医療情報表示装置を適用した医療情報システムの概略構成を示す図
【図２】本開示の実施形態による医療情報表示装置の概略構成を示す図
【図３】本実施形態において行われる処理を示すフローチャート
【図４】患者リストを示す図
【図５】医療情報表示画面を示す図
【図６】オブジェクトビューに表示されるカードの拡大図
【図７】レコードビューに表示されるカードの拡大図
【図８】医療情報が表示された医療情報表示画面を示す図
【図９】文字情報の選択を説明するための図
【図１０】医療情報表示画面において表示されたカードの絞り込みを説明するための図
【図１１】医療情報表示画面において表示されたカードの絞り込みを説明するための図
【図１２】医療情報表示画面において表示されたカードの絞り込みを説明するための図
【図１３】医療情報表示画面において表示されたカードの絞り込みを説明するための図
【図１４】医療情報表示画面において表示されたカードの絞り込みを説明するための図
【発明を実施するための形態】
【００３２】
以下、図面を参照して本開示の実施形態について説明する。図１は本開示の実施形態による医療情報表示装置を適用した医療情報システムの概略構成を示す図である。図１に示す医療情報システム１は、公知のオーダリングシステムを用いた診療科の医師からの検査オーダーに基づいて、被写体である患者に対する生理検査、患者の検査対象部位の撮影、撮影により取得された医用画像等の医療情報の保管、読影医による医用画像の読影と読影レポートの作成、および依頼元の診療科の医師による読影レポートの閲覧と医療情報を参照しての診断とを行うためのシステムである。図１に示すように、医療情報システム１は、複数のモダリティ２、読影端末である複数の読影ワークステーション（ＷＳ）３、診療科ワークステーション（ＷＳ）４、医療情報管理サーバ５、医療情報データベース６、読影レポートサーバ７、読影レポートデータベース８、および解析装置９が、ネットワーク１０を介して互いに通信可能な状態で接続されて構成されている。なお、医療情報管理サーバ５および医療情報データベース６がＰＡＣＳを構成する。
【００３３】
各機器は、医療情報システム１の構成要素として機能させるためのアプリケーションプログラムがインストールされたコンピュータである。アプリケーションプログラムは、ＤＶＤ（Digital Versatile Disc）あるいはＣＤ−ＲＯＭ（Compact Disc Read Only Memory）等の記録媒体に記録されて配布され、その記録媒体からコンピュータにインストールされる。または、ネットワークに接続されたサーバコンピュータの記憶装置、もしくはネットワークストレージに、外部からアクセス可能な状態で記憶され、要求に応じてコンピュータにダウンロードされ、インストールされる。
【００３４】
モダリティ２は、被写体の診断対象となる部位を撮影することにより、診断対象部位を表す医用画像を医療情報として取得する装置である。具体的には、ＣＴ装置、ＭＲＩ装置、ＰＥＴ（Positron Emission Tomography)装置、ＣＲ装置等である。また、本実施形態においては、モダリティ２には、患者の眼底を撮影して眼底画像を医用画像として生成する眼底撮影装置および内視鏡装置等、患者に関する静止画像および動画像を含む各種医用画像を取得する任意の装置とすることができる。また、本実施形態においては、患者に対して行った血液検査等の生理検査の結果を生成する装置も、モダリティ２に含めるものとする。モダリティ２により生成された医用画像は医療情報管理サーバ５に送信され、保存される。
【００３５】
読影ＷＳ３は、医用画像の読影医が、医用画像の読影および読影レポートの作成に使用するコンピュータであり、処理装置、高精細ディスプレイ等の表示部、並びにキーボードおよびマウス等の入力部により構成される。読影ＷＳ３では、医療情報管理サーバ５に対する医用画像の閲覧要求、医療情報管理サーバ５から受信した医用画像に対する各種画像処理、医用画像の表示、読影レポートの作成の支援、読影レポートサーバ７に対する読影レポートの登録要求と閲覧要求、並びに読影レポートサーバ７から受信した読影レポートの表示等の各処理が、各処理のためのソフトウェアプログラムを実行することにより行われる。なお、各種画像処理を読影ＷＳ３において行わず、別途画像処理装置をネットワーク１０に接続しておき、読影ＷＳ３からの処理の要求に応じて、画像処理装置が行うようにしてもよい。
【００３６】
診療科ＷＳ４は、本実施形態による医療情報表示装置を内包するものである。診療科ＷＳ４は、診療科の医師が画像の詳細観察、読影レポートの閲覧、および電子カルテの作成等に使用するコンピュータであり、処理装置、高精細ディスプレイ等の表示部、並びにキーボードおよびマウス等の入力部により構成される。診療科ＷＳ４では、医療情報管理サーバ５に対する医療情報の閲覧要求、医療情報管理サーバ５から受信した医療情報の表示、読影レポートサーバ７に対する読影レポートの閲覧要求、および読影レポートサーバ７から受信した読影レポートの表示等の各処理が、各処理のためのソフトウェアプログラムを実行することにより行われる。診療科ＷＳ４の医療情報表示装置としての機能については後述する。
【００３７】
医療情報管理サーバ５は、コンピュータにデータベース管理システム（DataBase Management System: DBMS）の機能を提供するソフトウェアプログラムがインストールされたものである。また、医療情報管理サーバ５は医療情報データベース６が構成される大容量ストレージを備えている。このストレージは、医療情報管理サーバ５とデータバスによって接続された大容量のハードディスク装置であってもよいし、ネットワーク１０に接続されているＮＡＳ（Network Attached Storage）およびＳＡＮ（Storage Area Network）に接続されたディスク装置であってもよい。また、医療情報管理サーバ５は、モダリティ２からの医用画像等の医療情報の登録要求を受け付けると、その医療情報をデータベース用のフォーマットに整えて医療情報データベース６に登録する。なお、医療情報管理サーバ５が管理する医療情報としては、上述したようにモダリティ２が取得した医用画像の他、電子カルテ、紹介状および投薬の情報等、患者に関する医療についての任意の情報とすることができる。
【００３８】
医療情報データベース６には、モダリティ２において取得された医療情報のデータが登録される。なお、医療情報には付帯情報が付与される。付帯情報には、例えば、個々の医療情報を識別するための医療情報ＩＤ(Identification)、患者を識別するための患者ＩＤ、検査を識別するための検査ＩＤ、その医療情報が生成された検査日、検査時刻、その医療情報を取得するための検査で使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査で複数の医用画像を取得したときのシリーズ番号あるいは採取番号等の情報が含まれる。
【００３９】
また、医療情報管理サーバ５は、読影ＷＳ３および診療科ＷＳ４からの閲覧要求をネットワーク１０経由で受信すると、医療情報データベース６に登録されている医療情報を検索し、検索された医療情報を要求元の読影ＷＳ３および診療科ＷＳ４に送信する。
【００４０】
読影レポートサーバ７は、コンピュータにデータベース管理システム（DBMS）の機能を提供するソフトウェアプログラムが組み込まれる。読影レポートサーバ７は、読影ＷＳ３からの読影レポートの登録要求を受け付けると、その読影レポートをデータベース用のフォーマットに整えて読影レポートデータベース８に登録する。
【００４１】
読影レポートデータベース８には、例えば、読影対象の医用画像を識別する画像ＩＤ、読影を行った読影医を識別するための読影医ＩＤ、病変名、病変の位置情報、所見、所見の確信度等の情報が記録された読影レポートが登録される。
【００４２】
解析装置９は、医用画像を解析して、医用画像に含まれる異常部位の自動検出、医用画像に含まれる構造物の計測、および計測結果を用いた解析等を行って、解析結果を医療情報として生成する。解析結果は、異常部位を矢印等のマークにより特定した医用画像、および計測により取得された計測結果を表す文字等を含む。解析装置９による解析結果は、解析を行った医用画像と対応づけられ、医療情報として医療情報管理サーバ５を介して医療情報データベース６に保管され、読影ＷＳ３および診療科ＷＳ４からの指示により、閲覧に供される。
【００４３】
ネットワーク１０は、病院内の各種機器を接続する有線または無線のローカルエリアネットワークである。読影ＷＳ３および診療科ＷＳ４が他の病院あるいは診療所に設置されている場合には、ネットワーク１０は、各病院のローカルエリアネットワーク同士をインターネットまたは専用回線で接続した構成としてもよい。
【００４４】
以下、本実施形態による医療情報表示装置について詳細に説明する。診療科ＷＳ４が本実施形態による医療情報表示装置として機能するものである。このために、診療科ＷＳ４には、本実施形態の医療情報表示プログラムがインストールされている。医療情報表示プログラムは、ＤＶＤあるいはＣＤ−ＲＯＭ等の記録媒体に記録されて配布され、その記録媒体から診療科ＷＳ４すなわちコンピュータにインストールされる。または、ネットワークに接続されたサーバコンピュータの記憶装置、もしくはネットワークストレージに、外部からアクセス可能な状態で記憶され、要求に応じてコンピュータにダウンロードされ、インストールされる。
【００４５】
図２は、コンピュータに医療情報表示プログラムをインストールすることにより実現される、本実施形態による医療情報表示装置の概略構成を示す図である。図２に示すように、医療情報表示装置２０は、標準的なワークステーションの構成として、ＣＰＵ（Central Processing Unit）２１、メモリ２２およびストレージ２３を備えている。また、医療情報表示装置２０には、高精細ディスプレイ等の表示部２４、並びにキーボードおよびマウス等の入力部２５が接続されている。
【００４６】
ストレージ２３は、ハードディスクまたはＳＳＤ（Solid State Drive）等のストレージデバイスからなる。ストレージ２３には、ネットワーク１０を経由して医療情報管理サーバ５から取得した、医療情報および処理に必要な情報を含む各種情報が記憶されている。
【００４７】
また、メモリ２２には、医療情報表示プログラムが記憶されている。医療情報表示プログラムは、ＣＰＵ２１に実行させる処理として、医療情報管理サーバ５から必要な情報を取得する情報取得処理、医療情報とリンクされ、リンクされた医療情報に関する少なくとも１つの文字情報を含む複数のカードを医療情報表示画面に表示するカード表示処理、複数のカードにおける少なくとも１つの文字情報の選択を受け付ける選択処理、および選択された文字情報を含むカードを、複数のカードから絞り込んで医療情報表示画面に表示する絞り込み処理を規定する。
【００４８】
そして、ＣＰＵ２１がプログラムに従いこれらの処理を実行することで、コンピュータは、情報取得部３１、カード表示部３２、選択部３３および絞り込み部３４として機能する。
【００４９】
情報取得部３１は、医療情報管理サーバ５等とネットワーク１０を介して通信を行う通信インターフェースからなり、医療情報表示プログラムからの指示により、医療情報および医療情報の表示に必要な各種情報を医療情報管理サーバ５を介して、医療情報データベース６から取得する。
【００５０】
以下、カード表示部３２、選択部３３および絞り込み部３４が行う処理について詳細に説明する。図３は、本実施形態において行われる処理を示すフローチャートである。医療情報の表示の指示が入力部２５からなされると、カード表示部３２は、まず患者リストを表示部２４に表示する（ステップＳＴ１）。図４は患者リストを示す図である。図４に示すように患者リストＬ０には、患者名、患者ＩＤ、性別、生年月日および担当医等の情報が含まれる。ユーザ（医師）は、患者リストＬ０において閲覧を所望する患者を入力部２５を用いて選択する。ユーザが所望とする患者を選択すると（ステップＳＴ２）、カード表示部３２が、医療情報表示画面を表示部２４に表示する（ステップＳＴ３）。
【００５１】
図５は医療情報表示画面を示す図である。医療情報表示画面は、本開示による医療情報を表示するためのグラフィックユーザインターフェースに対応する。図５に示すように、医療情報表示画面４０は、オブジェクトビュー４１、レコードビュー４２、コンテンツビュー４３およびフィルタパネル４４を含む。
【００５２】
オブジェクトビュー４１には、患者リストＬ０から選択した患者についての、医療情報とリンクされた複数のカードが時系列順に表示される。なお、ここでは９枚のカード５１−１〜５１−９が表示された状態を示している。カード５１−１〜５１−９は、境界により規定される閉じられた領域であり、本実施形態においては、カード５１−１〜５１−９は、予め定められたサイズの矩形の領域を有する。しかしながら、カード５１−１〜５１−９の形状は矩形に限定されるものではなく、矩形以外の他の任意の形状を有するものであってもよい。また、カード５１−１〜５１−９は、サイズを任意に変更可能なものであってもよい。また、カード５１−１〜５１−９の表示順序は、時系列順に限定されるものではなく、例えばリンクされた医療情報のファイル名順等、任意の順序とすることが可能である。また、オブジェクトビュー４１に表示しきれないカード５１はオブジェクトビュー４１をスクロールすることにより表示することができる。以降の説明においては、カード５１−１〜５１−９を単にカード５１と称する場合があるものとする。各カード５１は医療情報とリンクされており、リンクされた医療情報に関する少なくとも１つの文字情報を含む。
【００５３】
図６はオブジェクトビュー４１に表示されるカードの拡大図である。図６に示すように、カード５１は、医療情報を取得した日付５１Ａ、医療情報の種類５１Ｂ、医療情報の取得をオーダーした診療科５１Ｄおよび部位５１Ｅの各文字情報を含む。また、カード５１には、医療情報のサムネイル画像５１Ｃも含まれる。なお、１つの検査オーダーに複数種類の検査、および複数の撮影シリーズが含まれる場合がある。このような場合、複数種類の検査および複数の撮影シリーズのそれぞれに対応してカード５１が表示される。
【００５４】
医療情報の種類５１Ｂの文字情報としては、ＣＲ画像であることを表す「CR」、血液検査の結果であることを表す「Blood Test」および眼底画像であることを表す「Funduscopy」等が挙げられる。サムネイル画像５１Ｃは、医療情報が画像である場合にはその縮小画像が、医療情報が血液検査等の生理検査である場合には検査結果を表す表等の縮小画像が用いられる。なお、医療情報がＣＴ画像である場合のように、１つの医療情報に複数の画像が含まれる場合には、複数の画像の代表画像（例えば先頭の画像）がサムネイル画像５１Ｃとして用いられる。診療科５１Ｄの文字情報としては、胸部外科であることを表す「Chest Surgery」および内科であることを表す「Diabetic internal Medicine」等が挙げられる。部位５１Ｅの文字情報としては、胸部であることを表す「Chest」、および目であることを表す「Eye」等が挙げられる。なお、図５等の医療情報表示画面４０の全体を表示する図面においては、図示を簡単なものとするために、カード５１に含まれる文字情報の一部を省略している。
【００５５】
本実施形態においては、このようにカード５１に含まれる、医療情報を取得した日付５１Ａ、医療情報の種類５１Ｂ、医療情報の取得をオーダーした診療科５１Ｄおよび部位５１Ｅの文字情報の選択部３３による選択により、後述するようにオブジェクトビュー４１に表示されるカード５１の絞り込みが行われる。
【００５６】
レコードビュー４２には、患者リストＬ０から選択した患者についての、医療情報に対して行った解析に関する解析文字情報を含む複数のカード５２−１〜５２−４が表示される。複数のカード５２−１〜５２−４のそれぞれには、医療情報として解析結果がリンクされている。以降の説明においては、カード５２−１〜５２−４を単にカード５２と称する場合があるものとする。
【００５７】
図７はレコードビュー４２に表示されるカードの拡大図である。図７に示すように、カード５２には、医療情報の解析を行った日付５２Ａ、行った解析の種類５２Ｂ、解析者名５２Ｄ、および解析結果５２Ｅが解析文字情報として含まれる。なお、カード５２には、医療情報のサムネイル画像５２Ｃも含まれる。
【００５８】
行った解析の種類５２Ｂの解析文字情報としては、「ＣＴＲ」(Cardio-Thoracic Ratio；心胸郭比)および「ＣＡＤ」等が挙げられる。サムネイル画像５２Ｃは、サムネイル画像５１Ｃと同様に、医療情報が画像である場合にはその縮小画像が、医療情報が血液検査等の生理検査である場合には検査結果を表す表等の縮小画像が用いられる。なお、１つのカードにリンクされた医療情報が、ＣＴ画像のように複数の画像を含む場合には、解析に使用した画像または解析の結果、異常が見つかった画像等がサムネイル画像５２Ｃとして用いられる。解析結果５２Ｅの解析文字情報には、行った解析の結果を表す文字が含まれる。例えば、解析がＣＴＲである場合には、ＣＴＲの値、画像における心陰影の幅および胸郭幅が含まれる。また、解析がＣＡＤである場合には、異常陰影の直径、体積および異常の程度等が含まれる。図７においては、心陰影の幅および胸郭幅をそれぞれ「Heart」および「Chest」で示している。なお、図５等の医療情報表示画面４０の全体を表示する図面においては、図示を簡単なものとするために、カード５２に含まれる文字情報の一部を省略している。
【００５９】
本実施形態においては、このようにカード５２に含まれる、医療情報を取得した日付５２Ａ、行った解析の種類５２Ｂ、解析者名５２Ｄ、および解析結果５２Ｅの解析文字情報の選択部３３による選択によっても、後述するようにレコードビュー４２に表示されるカード５２の絞り込みが行われる。
【００６０】
コンテンツビュー４３には、図５に示す医療情報表示画面４０において、ユーザがオブジェクトビュー４１またはレコードビュー４２に表示された複数のカード５１，５２からいずれかのカードを選択すると、選択されたカードとリンクされた医療情報が表示される。図８は医療情報が表示された医療情報表示画面４０を示す図である。図８に示すように、オブジェクトビュー４１において上から３番目のカード５１−３が選択されると、選択されたカード５１−３が反転表示され、コンテンツビュー４３には選択されたカード５１−３にリンクされた医療情報４３Ａが表示される。なお、図８においてはカードに斜線を付与することによりカードの反転表示を示している。
【００６１】
フィルタパネル４４には、カード５１，５２において選択した文字情報に関する絞り込み条件が表示される。なお、患者リストＬ０から患者を選択した直後においては、選択した患者に関するすべての医療情報に関するカード５１，５２が、オブジェクトビュー４１およびレコードビュー４２に表示される絞り込み条件がフィルタパネル４４に表示される。図５においては、３つの行のそれぞれに「Bood Test and Diabetes」、「Funduscopy and Diabetes」および「CR and Chest」が絞り込み条件として表示されている。なお、各行において、「Bood Test」、「Funduscopy」および「CR 」の前に付与されている文字「T」は医療情報の種類（Type）を表す。また、「Diabetes」の前に付与されている文字「O」は、医療情報の取得をオーダーした診療科(Order Department)を表す。また、「Chest」の前に付与されている文字「B」は、部位(Body Part)を表す。
【００６２】
本実施形態においては、フィルタパネル４４に表示されている複数の文字情報の横方向の並びは、ＡＮＤ絞り込みを表している。すなわち、図５に示すフィルタパネル４４における１行目は、「Bood Test and Diabetes」と示されているため、医療情報の種類が血液検査であり、かつ診療科が内科である医療情報とリンクされたカードを表示する絞り込み条件を表している。図５に示すフィルタパネル４４における２行目は、「Funduscopy and Diabetes」と示されているため、医療情報の種類が眼底画像であり、かつ診療科が内科である医療情報とリンクされたカードを表示する絞り込み条件を表している。図５に示すフィルタパネル４４における３行目は、「CR and Chest」と示されているため、医療情報の種類がＣＲ画像であり、かつ撮影部位が胸部である医療情報とリンクされたカードを表示する絞り込み条件を表している。
【００６３】
一方、フィルタパネル４４に表示されている複数の文字情報の縦方向の並びは、ＯＲ絞り込みを表している。図５に示すフィルタパネル４４においては、３つの行のそれぞれに「Bood Test and Diabetes」、「Funduscopy and Diabetes」および「CR and Chest」が絞り込み条件として表示されている。このため、図５に示すフィルタパネル４４は、医療情報の種類が血液検査であり、かつ診療科が内科である医療情報、医療情報の種類が眼底画像であり、かつ診療科が内科である医療情報、または医療情報の種類がＣＲ画像であり、かつ撮影部位が胸部である医療情報とリンクされたカードを表示する絞り込み条件を表している。
【００６４】
なお、フィルタパネル４４の各行にはチェックボックス４４Ａが付与されている。本実施形態においては、チェックボックス４４Ａにおけるチェックの有無により、オブジェクトビュー４１およびレコードビュー４２に表示されるカード５１，５２を絞り込むことも可能である。図５においてはすべてのチェックボックス４４Ａにチェックがなされているが、２行目および３行目のチェックを外すことにより、「Bood Test and Diabetes」、すなわち医療情報の種類が血液検査であり、かつ診療科が内科である医療情報とリンクされたカードが表示されることとなる。
【００６５】
本実施形態においては、オブジェクトビュー４１およびレコードビュー４２に表示されたカード５１，５２に含まれる文字情報を用いて、表示されるカード５１，５２を絞り込むことが可能である。このために、選択部３３は、ユーザによる入力部２５からの指示により、表示中のカード５１，５２における文字情報の選択を受け付ける（ステップＳＴ４）。
【００６６】
図９は文字情報の選択を説明するための図である。なお、図９においては、オブジェクトビュー４１に表示されたカード５１−４に含まれる医療情報の種類５１Ｂ（図６参照）である「Funduscopy」の文字情報が選択された状態を示している。図９に示すように、「Funduscopy」の文字情報が選択されると、選択された文字情報が反転表示され、かつポップアップ６０が表示される。図９においては反転表示を斜線の付与により示している。なお、選択された文字情報の反転表示を行わないようにしてもよい。ポップアップ６０には、「Hide Funduscopy」および「See only Funduscopy」の文字列が含まれる。なお、ポップアップ６０が本開示の選択情報に対応する。
【００６７】
ポップアップ６０においてユーザが「Hide Funduscopy」の文字列を選択すると、図１０に示すように、オブジェクトビュー４１およびレコードビュー４２において文字情報として「Funduscopy」を含むカード５１−４，５１−７が隠され、「Funduscopy」の文字情報を含まないカード５１−１〜５１−３，５１−５，５１−６，５１−８，５１−９，５２−１〜５２−４が絞り込まれて表示される（ステップＳＴ５）。この状態において、フィルタパネル４４においては、図５に示す２行目の行の「Funduscopy and Diabetes」が削除され、３行目が２行目に移動する。また、残った２つの行における医療情報の種類の文字情報に「Funduscopy」が隠されたことを表す「-Funduscopy」が追加される。なお、ステップＳＴ５の後は、医療情報表示画面４０の表示の終了指示がなされるまで、ステップＳＴ３にリターンする。
【００６８】
一方、ポップアップ６０においてユーザが「See only Funduscopy」を選択すると、図１１に示すように、オブジェクトビュー４１およびレコードビュー４２において文字情報として「Funduscopy」を含むカード５１−４，５１−７が絞り込まれて表示される。なお、絞り込まれたカード５１−４，５１−７には、レコードビュー４２において対応するカードが存在しないため、カード５１−４，５１−７が絞り込まれて表示された状態においては、レコードビュー４２にはカードは表示されない。この状態においては、フィルタパネル４４には、図５に示す１行目の「Boold Test and Diabetes」および３行目の「CR and Chest」が削除され、２行目が１行目に移動する。また、残った行における医療情報の種類の文字情報に「Blood Test」および「CR」が隠されたことを表す「-Blood Test」および「-CR」が追加される。
【００６９】
なお、図１０および図１１においては、絞り込んだカード以外のカードを隠しているが、これに限定されるものではない。図１２に示すように、オブジェクトビュー４１において、絞り込まれたカード５１−１〜５１−３，５１−５，５１−６，５１−８，５１−９の間に、隠されたカード５１−４および５１−７が存在することを表す存在情報を表示してもよい。図１２は絞り込まれたカードの間にカードが存在することを表す存在情報をバーとして表示した状態を示す図である。図１２に示すように、カード５１−３とカード５１−５の間に隠されたカード５１−４が存在することを表すバー６１−１が、カード５１−６とカード５１−８との間に隠されたカード５１−７が存在することを表すバー６１−２がそれぞれ表示されている。バー６１−１，６１−２の高さはカード５１，５２の高さよりも小さいものとなっている。
【００７０】
また、バー６１−１，６１−２には隠されたカード５１−４，５１−７に含まれた文字情報の一部である「Funduscopy」の文字情報が含まれる。なお、隠されたカード５１−４，５１−７に含まれる文字情報のすべてのバー６１−１，６１−２に含めてもよい。このように、隠されたカードに対してバー６１−１，６１−２を表示することにより、カードの存在の見落としを防止することができる。また、隠されたカードに含まれる文字情報の少なくとも一部をバー６１−１，６１−２に表示することにより、バー６１−１，６１−２を用いて、文字情報を選択することによる絞り込みを行うことができる。なお、バー６１−１，６１−２には文字情報を表示せず、バー６１−１，６１−２が選択された場合にのみ、バー６１−１，６１−２に文字情報を表示するようにしてもよい。
【００７１】
また、図１０に示す状態において、例えばカード５１−２，５１−５，５１−８に含まれる「Blood Test」の文字情報が選択されると、「Hide Blood Test」および「See only Blood Test」の文字が含まれるポップアップが表示される。そして、「Hide Blood Test」が選択されると、図１３に示すように、さらに「Blood Test」の文字情報を含まないカード５１−１，５１−３，５１−６，５１−９が絞り込まれて表示される。この場合においても、図１２に示すように、隠されたカードが存在することを表すバーを表示してもよい。この状態において、フィルタパネル４４においては、図１０に示す１行目が削除され、２行目が１行目に移動する。また、残った行における医療情報の種類の文字情報に、さらに「Blood Test」が隠されたことを表す「-Blood Test」が追加される。
【００７２】
なお、文字情報を選択するカードは、レコードビュー４２に表示されたカード５２であってもよい。例えば、図１０に示す状態において、レコードビュー４２に表示されたカード５１−１〜５２−４のうち、カード５２−２における「CTR」の文字情報が選択されると、「Hide CTR」および「See only CTR」の文字が含まれるポップアップが表示される。そして、「See only CTR」が選択されると、レコードビュー４２においては、図１４に示すように、「CTR」の文字情報を含むカード５２−２〜５２−４が表示される。さらに、オブジェクトビュー４１においては、絞り込まれたカード５２−２〜５２−４に対応するカード５１−３，５１−６，５１−９が絞り込まれて表示される。この状態において、フィルタパネル４４においては、図１０に示す２つの行の末尾に、レコードビュー４２における「CTR」が追加される。なお、「CTR」の前に付与されている文字「M」は、解析により計測されたこと(Mesurement)を表す。なお、図１４において、フィルタパネル４４における文字は、説明のために図１０等よりも小さいものとなっている。
【００７３】
ユーザは、上記のようにして、カード５１，５２に含まれる文字情報を用いてオブジェクトビュー４１およびレコードビュー４２に表示するカード５１，５２を絞り込み、診断に使用するカード５１，５２を選択することができる。ユーザが絞り込んだカード５１，５２から所望とされるカードを選択すると，選択したカードにリンクされた医療情報がコンテンツビュー４３に表示され、ユーザによる診断に供される。
【００７４】
このように、本実施形態によれば、患者に関する医療情報とリンクされ、リンクされた医療情報に関する少なくとも１つの文字情報を含む複数のカード５１，５２を医療情報表示画面４０に表示し、複数のカード５１，５２のいずれかにおける少なくとも１つの文字情報の選択を受け付ける。そして、選択された文字情報を含むカードを、複数のカード５１，５２から絞り込んで医療情報表示画面４０に表示するようにした。このため、ユーザは表示されたカードに含まれる文字情報を選択するのみで、所望とされる医療情報がリンクされたカードを絞り込んで表示することができる。したがって、本実施形態によれば、ユーザは表示を所望する医療情報に効率よくアクセスすることができる。
【００７５】
また、レコードビュー４２に解析に関する解析文字情報を含む複数のカード５２を表示するようにしたため、解析文字情報を含むカード５２と含まないカード５１とが混在して表示されることがなくなる。したがって、解析文字情報を含むカードの選択、さらには解析結果についての医療情報の表示を効率よく行うことができる。
【００７６】
また、文字情報が選択されると、例えば「Hide Funduscopy」および「See only Funduscopy」の文字列を含むポップアップ６０を表示して、表示するカード５１，５２の絞り込みを行うようにしたため、ユーザは、所望とされるカードを表示するか、それ以外のカードを表示するかの選択を容易に行うことができる。
【００７７】
また、選択された文字情報をフィルタパネル４４に表示することにより、ユーザは、どの文字情報によりカード５１，５２が絞り込み表示されているかを容易に認識することができる。
【００７８】
とくに、複数の文字情報によるＡＮＤ絞り込みを行う場合には、フィルタパネル４４において複数の文字情報を第１の方向に並べ、複数の文字情報によるＯＲ絞り込みを行う場合には、フィルタパネル４４において複数の文字情報を第１の方向とは異なる第２の方向に並べることにより、ユーザは、どの文字情報によりＡＮＤ絞り込みが行われているか、またはどの文字応報によりＯＲ絞り込みが行われているかを容易に認識することができる。
【００７９】
また、複数のカードから絞り込まれた絞り込みカード以外の隠されたカードについては、隠されたカードに替えてバー６１−１，６１−２を表示することにより、絞り込みにより隠されたカードが存在することをバー６１−１，６１−２により認識することができる。この場合、バー６１−１，６１−２に、隠されたカードに含まれる文字情報の少なくとも一部を表示することにより、バー６１−１，６１−２を用いて文字情報の選択、さらにはカードの絞り込みを行うことができる。また、バー６１−１，６１−２には文字情報を表示せず、バー６１−１，６１−２を選択することにより文字情報を表示するようにしてもよい。
【００８０】
なお、上記実施形態においては、医療情報表示画面４０にオブジェクトビュー４１およびレコードビュー４２の双方を表示しているが、オブジェクトビュー４１のみまたはレコードビュー４２のみを表示するようにしてもよい。
【００８１】
また、上記実施形態においては、フィルタパネル４４において、ＡＮＤ絞り込みの場合は文字情報を横方向に並べ、ＯＲ絞り込みの場合は文字情報を縦方向に並べているが、これに限定されるものではない。ＡＮＤ絞り込みの場合は文字情報を縦方向に並べ、ＯＲ絞り込みの場合は文字情報を横方向に並べるようにしてもよい。
【００８２】
また、上記実施形態においては、文字情報を選択する際に、ポップアップ６０を表示して、ポップアップ６０に表示された文字の選択により、表示するカードの絞り込みを行っているが、これに限定されるものではない。例えば、カード５１，５２に含まれる文字情報を複数選択するに際し、入力部２５による操作の相違により、ＡＮＤ絞り込みおよびＯＲ絞り込みを切り替えるようにしてもよい。例えば、マウスによる１回のクリックまたは１回のタップによりＡＮＤ絞り込みを行い、２回のクリックまたは２回のタップによりＯＲ絞り込みを行うようにしてもよい。また、絞り込みに対して，選択された文字情報を含まないカードを絞り込むためのＮＯＴ絞り込みを行うようにしてもよい。この場合、ＡＮＤ絞り込み、ＯＲ絞り込みおよびＮＯＴ絞り込みを指示するキーを選択しつつ、文字情報を選択することにより、ＡＮＤ絞り込み、ＯＲ絞り込みおよびＮＯＴ絞り込みを切り替えるようにしてもよい。
【００８３】
また、上記実施形態においては、カード５１，５２にリンクされた医療情報のサムネイル画像５１Ｃ，５２Ｃが含まれているが、これに限定されるものではない。カード５１，５２にはサムネイル画像５１Ｃ，５２Ｃを含めず、文字情報のみを含めるようにしてもよい。
【００８４】
また、上記実施形態において、例えば、情報取得部３１、カード表示部３２、選択部３３および絞り込み部３４といった各種の処理を実行する処理部（Processing Unit）のハードウェア的な構造としては、次に示す各種のプロセッサ（Processor）を用いることができる。上記各種のプロセッサには、上述したように、ソフトウェア（プログラム）を実行して各種の処理部として機能する汎用的なプロセッサであるＣＰＵに加えて、ＦＰＧＡ（Field  Programmable Gate Array）等の製造後に回路構成を変更可能なプロセッサであるプログラマブルロジックデバイス（Programmable Logic Device :PLD）、ＡＳＩＣ（Application Specific Integrated Circuit）等の特定の処理を実行させるために専用に設計された回路構成を有するプロセッサである専用電気回路等が含まれる。
【００８５】
１つの処理部は、これらの各種のプロセッサのうちの１つで構成されてもよいし、同種または異種の２つ以上のプロセッサの組み合わせ（例えば、複数のＦＰＧＡの組み合わせまたはＣＰＵとＦＰＧＡとの組み合わせ）で構成されてもよい。また、複数の処理部を１つのプロセッサで構成してもよい。
【００８６】
複数の処理部を１つのプロセッサで構成する例としては、第１に、クライアントおよびサーバ等のコンピュータに代表されるように、１つ以上のＣＰＵとソフトウェアとの組み合わせで１つのプロセッサを構成し、このプロセッサが複数の処理部として機能する形態がある。第２に、システムオンチップ（System On Chip:SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【００８７】
さらに、これらの各種のプロセッサのハードウェア的な構造としては、より具体的には、半導体素子等の回路素子を組み合わせた電気回路（Circuitry）を用いることができる。
【符号の説明】
【００８８】
１    医療情報システム
２    モダリティ
３    読影ワークステーション
４    診療科ワークステーション
５    医療情報管理サーバ
６    医療情報データベース
７    読影レポートサーバ
８    読影レポートデータベース
９    解析装置
１０    ネットワーク
２０    医療情報表示装置
２１    ＣＰＵ
２２    メモリ
２３    ストレージ
２４    表示部
２５    入力部
３１    情報取得部
３２    カード表示部
３３    選択部
３４    絞り込み部
４１    オブジェクトビュー
４２    レコードビュー
４３    コンテンツビュー
４３Ａ    医療情報
４４    フィルタパネル
５１，５２    カード
５１Ａ，５２Ａ    日付
５１Ｂ    医療情報の種類
５１Ｃ，５２Ｃ    サムネイル画像
５１Ｄ    診療科
５１Ｅ    部位
５２Ｂ    解析の種類
５２Ｄ    解析者名
５２Ｅ    解析結果
６０    ポップアップ
【図１】
2020105416.tif 000003
【図２】
2020105416.tif 000004
【図３】
2020105416.tif 000005
【図４】
2020105416.tif 000006
【図５】
2020105416.tif 000007
【図６】
2020105416.tif 000008
【図７】
2020105416.tif 000009
【図８】
2020105416.tif 000010
【図９】
2020105416.tif 000011
【図１０】
2020105416.tif 000012
【図１１】
2020105416.tif 000013
【図１２】
2020105416.tif 000014
【図１３】
2020105416.tif 000015
【図１４】
2020105416.tif 000016
【国際調査報告】
2020105416.tif 000017
2020105416.tif 000018
2020105416.tif 000019
2020105416.tif 000020
2020105416.tif 000021
2020105416.tif 000022